(57)【特許請求の範囲】
【請求項１】
デジタルカメラと、このデジタルカメラを接続可能なコンピュータとを備えたデジタルカメラシステムであって、
前記デジタルカメラは、撮影モードを含む２個以上のモードを有するとともに、いずれかのモードを選択的に設定可能であり、
前記コンピュータは、前記デジタルカメラとの接続状態でシャッタボタンを表示可能な表示手段を備え、
前記デジタルカメラが撮影モードに設定されている場合、前記コンピュータは、撮影待機状態で連続的に撮影された画像を前記表示手段の画面上の第１のウィンドウに表示し、前記表示手段に表示されているシャッタボタンの操作により撮影動作が行われた時は、前記表示手段の画面上に、シャッタボタンが操作された時点で撮影された画像を表示する第２のウィンドウを開くことを特徴とするデジタルカメラシステム。
【請求項２】
デジタルカメラと、このデジタルカメラを接続可能なコンピュータとを備えたデジタルカメラシステムであって、
前記コンピュータは、前記デジタルカメラとの接続状態で、デジタルカメラを示すウィンドウ及びデジタルカメラの電源スイッチを表示可能な表示手段を備え、
前記電源スイッチがオフ操作された場合には、前記ウィンドウを最小化表示することを特徴とするデジタルカメラシステム。
【請求項３】
デジタルカメラとコンピュータとの接続が遮断された場合には、表示手段に表示されているウィンドウを消去する請求項２に記載のデジタルカメラシステム。
【発明の詳細な説明】
【０００１】
【発明の属する技術分野】
本発明は、静止した被写体光像を画像信号に光電変換して取り込んだのち、要すれば画像処理等を施して記録媒体に記録するデジタルカメラと、このデジタルカメラが接続されるコンピュータ例えばパーソナルコンピュータ（以下パソコンと称す）とを備えたデジタルカメラシステムに関する。
【０００２】
【従来の技術】
デジタルカメラで撮影した画像データは、従来、デジタルカメラ用の画像取り込みソフト（ドライバソフト）によって、いったんコンピュータ上に取り込まれ、コンピュータ用のアプリケーションソフトを用いて、画像の加工や印刷、記録が行われている。また、ドライバソフトからデジタルカメラのライブビュー画像を表示したり、ドライバソフト側からデジタルカメラのシャッターを切ることができるものも存在する。
【０００３】
【発明が解決しようとする課題】
しかしながら、これら従来の技術では、デジタルカメラとコンピュータが互いに連携して動作するにもかかわらず、連携操作に関しての十分な配慮がなされておらず、連携操作性が良くなかった。例えばデジタルカメラとコンピュータの各表示部に画像を表示させるような場合、画像の状態が異なっていたり、画面上でデジタルカメラのシャッターを操作した場合に、どのような撮影画像が得られたのかすぐにはわからず、実に不便であった。
【０００４】
この発明は、このような技術的背景に鑑みてなされたものであって、デジタルカメラをコンピュータに接続した場合に、両者の連携操作性を向上することができるデジタルカメラシステムの提供を課題とする。
【０００９】
【発明が解決しようとする課題】
上記課題は、デジタルカメラと、このデジタルカメラを接続可能なコンピュータとを備えたデジタルカメラシステムであって、前記デジタルカメラは、撮影モードを含む２個以上のモードを有するとともに、いずれかのモードを選択的に設定可能であり、前記コンピュータは、前記デジタルカメラとの接続状態でシャッタボタンを表示可能な表示手段を備え、前記デジタルカメラが撮影モードに設定されている場合、前記コンピュータは、撮影待機状態で連続的に撮影された画像を前記表示手段の画面上の第１のウィンドウに表示し、前記表示手段に表示されているシャッタボタンの操作により撮影動作が行われた時は、前記表示手段の画面上に、シャッタボタンが操作された時点で撮影された画像を表示する第２のウィンドウを開くことを特徴とするデジタルカメラシステムによって解決される。
【００１０】
このシステムによれば、撮影後にはコンピュータの表示手段にその撮影画像が表示されるから、その内容を直ちに確認することができるようになる。
【００１１】
上記課題は、さらには、デジタルカメラと、このデジタルカメラを接続可能なコンピュータとを備えたデジタルカメラシステムであって、前記コンピュータは、前記デジタルカメラとの接続状態で、デジタルカメラを示すウィンドウ及びデジタルカメラの電源スイッチを表示可能な表示手段を備え、前記電源スイッチがオフ操作された場合には、前記ウィンドウを最小化表示することを特徴とするデジタルカメラシステムによっても解決される。
【００１２】
このシステムによれば、電源スイッチのオフ操作に連動して、デジタルカメラを示すウィンドウは自動的に最小化表示される。
【００１３】
この場合、デジタルカメラとコンピュータとの接続が遮断された場合には、表示手段に表示されている不要なウィンドウを消去するものとなされているのが、表示装置の画面を広く利用できる点から望ましい。
【００１４】
【発明の実施の形態】
図１〜３はこの発明の一実施形態に係るデジタルカメラシステムに用いられるデジタルカメラを示すものである。
【００１５】
デジタルカメラ１は、図１〜３に示すように、箱型のカメラ本体部２と直方体状の撮像部３とから構成されている。撮像部３は、正面（図１の紙面手前側）から見てカメラ本体部２の右側面に着脱可能、かつ、この右側面と平行な面内に回動可能に装着されている。
【００１６】
前記撮像部３は、マクロズームからなる撮影レンズ及びＣＣＤ（ＣｈａｒｇｅＣｏｕｐｌｅｄ  Ｄｅｖｉｃｅ）等の光電変換素子からなる撮像装置を有し、被写体の光学像をＣＣＤの各画素で光電変換された電荷信号により構成される画像に変換して取り込むものである。一方、カメラ本体部２は、ＬＣＤ（Ｌｉｑｕｉｄ  Ｃｒｙｓｔａｌ  Ｄｉｓｐｌａｙ）からなる表示部１０、メモリカード８の装着部１７及びパソコンが外部接続される接続端子１３を有し、主として上記撮像部３で取り込まれた画像信号に所定の信号処理を施した後、ＬＣＤ表示部１０への表示、メモリカード８への記録、パソコンへの転送等の処理を行うものである。
【００１７】
撮像部３の内部には、マクロズームレンズ３０１が配設され、このマクロズームレンズ３０１の後方位置の適所にＣＣＤカラーエリアセンサ３０３を備えた撮像回路が設けられている。また、撮像部３内の適所にフラッシュ光の被写体からの反射光を受光する調光センサ３０５を備えた調光回路３０４が設けられている。
【００１８】
カメラ本体部２の前面には、図１に示すように、左端部の適所にグリップ部４が設けられ、右端部の上部適所に内蔵フラッシュ５が設けられている。また、カメラ本体部２の上面には、図２に示すように、略中央に記録画像を再生する際のコマ送り用のスイッチ６、７が設けられている。スイッチ６は、記録画像をコマ番号が増大する方向（撮影順の方向）にコマ送りするためのスイッチ（以下、Ｕｐキーという。）であり、スイッチ７は、記録画像をコマ番号が減少する方向にコマ送りするためのスイッチ（以下、Ｄｏｗｎキーという。）である。また、背面側（図１の紙面手前側）からみてＤｏｗｎキー７の左側にメモリカード８に記録された画像を消去するための消去スイッチＤが設けられ、Ｕｐキー６の右方にシャッターボタン９が設けられている。
【００１９】
カメラ本体部２の背面には、図２に示すように、左端部の略中央に撮影画像のモニタ表示（ビューファインダーに相当）及び記録画像の再生表示等を行うためのＬＣＤ表示部１０が設けられている。また、ＬＣＤ表示部１０の下方位置には、メモリカード８に記録される画像データの圧縮率Ｋを切換設定するためのスライドスイッチからなる圧縮率設定スイッチ１２が設けられている。また、カメラ本体部２の撮像部３側の側面には、パソコンが外部接続されるＵＳＢ接続端子１３が設けられ、背面上部には電源スイッチＰＳが設けられている。
【００２０】
前記デジタルカメラ１には、フラッシュ（以下、フラュシュをＦＬと記すことがある）発光に関するモードとして、被写体輝度に応じて自動的に内蔵フラッシュ５を発光させる「自動発光モード」、被写体輝度に関係なく内蔵フラッシュ５を強制的に発光させる「強制発光モード」及び内蔵フラッシュ５の発光を禁止する「発光禁止モード」が設けられ、本体部２の背面の表示部１０の上方に配設されたＦＬモード設定キー１１を押す毎に「自動発光」、「強制発光」及び「発光禁止」の各モードがサイクリックに切り換わり、いずれかのモードが選択設定されるようになっている。また、デジタルカメラ１は、１／８と１／２０の２種類の圧縮率Ｋが選択設定可能となされ、例えば圧縮率設定スイッチ１２を右にスライドすると、圧縮率Ｋ＝１／８が設定され、左にスライドすると、圧縮率Ｋ＝１／２０が設定される。なお、本実施の形態では、２種類の圧縮率Ｋが選択設定できるようにしているが、３種類以上の圧縮率Ｋを選択設定できるようにしてもよい。
【００２１】
更に、カメラ本体部２の背面の右端上部には、「撮影モード」と「再生モード」とを切換設定する撮影／再生モード設定スイッチ１４が設けられている。撮影モードは、写真撮影を行うモードであり、再生モードは、メモリカード８に記録された撮影画像をＬＣＤ表示部１０に再生表示するモードである。撮影／再生モード設定スイッチ１４も２接点のスライドスイッチからなり、例えば右にスライドすると、再生モードが設定され、左にスライドすると、撮影モードが設定される。頻繁にモードを切り換えて使用するスイッチは、スライドスイッチとすることにより、モード設定が一目でわかり、使い勝手が良くなる。
【００２２】
ＦＬモード設定スイッチ１１、Ｕｐキー６、Ｄｏｗｎキー７、消去スイッチＤ、シャッターボタン９はプッシュスイッチで構成されている。
【００２３】
カメラ本体部２の底面には、電池装填室１８とメモリカード８のカード装填室１７とが設けられ、両装填室１７、１８の装填口は、クラムシェルタイプの蓋１５により閉塞されるようになっている。本実施形態におけるデジタルカメラ１は、４本の単三形乾電池を直列接続してなる電源電池Ｅを駆動源としている。
【００２４】
図４は、デジタルカメラ１の制御系を示すブロック図である。
【００２５】
撮像部３内において、前記ＣＣＤ３０３は、マクロズームレンズ３０１により結像された被写体の光像を、Ｒ（赤）、Ｇ（緑）、Ｂ（青）の色成分の画像信号（各画素で受光された画素信号の信号列からなる信号）に光電変換して出力する。タイミングジェネレータ３１４は、ＣＣＤ３０３の駆動を制御するための各種のタイミングパルスを生成するものである。
【００２６】
撮像部３における露出制御は、絞りが固定絞りとなっているので、ＣＣＤ３０３の露光量、すなわち、シャッタスピードに相当するＣＣＤ３０３の電荷蓄積時間を調節して行われる。被写体輝度が低輝度時に適切なシャッタスピードが設定できない場合は、ＣＣＤ３０３から出力される画像信号のレベル調整を行うことにより露光不足による不適正露出が補正される。すなわち、低輝度時は、シャッタスピードとゲイン調整とを組み合わせて露出制御が行われる。画像信号のレベル調整は、信号処理回路３１３内のＡＧＣ回路のゲイン調整において行われる。
【００２７】
タイミングジェネレータ３１４は、タイミング制御回路２０２から送信される基準クロックに基づきＣＣＤ３０３の駆動制御信号を生成するものである。タイミングジェネレータ３１４は、例えば積分開始／終了（露出開始／終了）のタイミング信号、各画素の受光信号の読出制御信号（水平同期信号、垂直同期信号、転送信号等）等のクロック信号を生成し、ＣＣＤ３０３に出力する。
【００２８】
信号処理回路３１３は、ＣＣＤ３０３から出力される画像信号（アナログ信号）に所定のアナログ信号処理を施すものである。信号処理回路３１３は、ＣＤＳ（相関二重サンプリング）回路とＡＧＣ（オートゲインコントロール）回路とを有し、ＣＤＳ回路により画像信号のノイズの低減を行い、ＡＧＣ回路のゲインを調整することにより画像信号のレベル調整を行う。
【００２９】
調光回路３０４は、フラッシュ撮影における内蔵フラッシュ５の発光量を全体制御部２１１により設定された所定の発光量に制御するものである。フラッシュ撮影においては、露出開始と同時に被写体からのフラッシュ光の反射光が調光センサ３０５により受光され、この受光量が所定の発光量に達すると、調光回路３０４から全体制御部２１１を介してフラッシュ制御回路２１４に発光停止信号が出力される。フラッシュ制御回路２１４は、この発光停止信号に応答して内蔵フラッシュ５の発光を強制的に停止し、これにより内蔵フラッシュ５の発光量が所定の発光量に制御される。
【００３０】
カメラ本体部２内において、Ａ／Ｄ変換器２０５は、画像信号の各画素信号を１０ビットのデジタル信号に変換するものである。Ａ／Ｄ変換器２０５は、図示しないＡ／Ｄクロック発生回路から入力されるＡ／Ｄ変換用のクロックに基づいて各画素信号（アナログ信号）を１０ビットのデジタル信号に変換する。
【００３１】
カメラ本体部２内には、基準クロック、タイミングジェネレータ３１４、Ａ／Ｄ変換器２０５に対するクロックを生成するタイミング制御回路２０２が設けられている。タイミング制御回路２０２は、全体制御部２１１により制御される。
【００３２】
黒レベル補正回路２０６は、Ａ／Ｄ変換器２０５でＡ／Ｄ変換された画素信号（以下、画素データという。）の黒レベルを基準の黒レベルに補正するものである。また、ホワイトバランス回路（以下、ＷＢ回路という）２０７は、γ補正後にホワイトバランスも合わせて調整されるように、Ｒ、Ｇ、Ｂの各色成分の画素データのレベル変換を行うものである。ＷＢ回路２０７は、全体制御部２１１から入力される、レベル変換テーブルを用いてＲ、Ｇ、Ｂの各色成分の画素データのレベルを変換する。なお、レベル変換テーブルの各色成分の変換係数（特性の傾き）は全体制御部２１１により撮影画像毎に設定される。
【００３３】
γ補正回路２０８は、画素データのγ特性を補正するものである。γ補正回路２０８は、γ特性の異なる例えば６種類のγ補正テーブルを有し、撮影シーンや撮影条件に応じて所定のγ補正テーブルにより画素データのγ補正を行う。
【００３４】
画像メモリ２０９は、γ補正回路２０８から出力される画素データを記憶するメモリである。画像メモリ２０９は、１フレーム分の記憶容量を有している。すなわち、画像メモリ２０９は、ＣＣＤ３０３がｎ行ｍ列の画素を有している場合、ｎ×ｍ画素分の画素データの記憶容量を有し、各画素データが対応する画素位置に記憶されるようになっている。
【００３５】
ＶＲＡＭ２１０は、ＬＣＤ表示部１０に再生表示される画像データのバッファメモリである。ＶＲＡＭ２１０は、ＣＣＤで撮影される画素数（６４０×４８０ピクセル）に対応した記憶容量を有し、ＬＣＤ表示部１０の表示画素数はその３／８（２４０×１８０ピクセル）であるので、ＬＣＤ表示部１０に表示する際には上記割合で間引いて表示するようにする。
【００３６】
撮影待機状態においては、撮像部３により１／３０（秒）毎に撮像された画像の各画素データが、Ａ／Ｄ変換器２０５〜γ補正回路２０８により所定の信号処理を施された後、画像メモリ２０９に記憶されるとともに、全体制御部２１１を介してＶＲＡＭ２１０に転送され、ＬＣＤ表示部１０に表示される。これにより撮影者はＬＣＤ表示部１０に表示された画像により被写体像を視認することができる。また、再生モードにおいては、メモリカード８から読み出された画像が全体制御部２１１で所定の信号処理が施された後、ＶＲＡＭ２１０に転送され、ＬＣＤ表示部１０に再生表示される。
【００３７】
カードＩ／Ｆ２１２は、メモリカード８への画像データの書込み及び画像データの読出しを行うためのインターフェースである。また、通信用Ｉ／Ｆ２１３は、パソコン１０００を通信可能に外部接続するための、例えばＵＳＢ規格に準拠したインターフェースである。
【００３８】
フラッシュ制御回路２１４は、内蔵フラッシュ５の発光を制御する回路である。フラッシュ制御回路２１４は、全体制御部２１１の制御信号に基づき内蔵フラッシュ５の発光の有無、発光量及び発光タイミング等を制御し、調光回路３０４から入力される発光停止信号ＳＴＰに基づき内蔵フラッシュ５の発光量を制御する。
【００３９】
ＲＴＣ２１９は、撮影日時を管理するための時計回路であり、図示しない別の電源で駆動される。
【００４０】
操作部２５０は全体制御部２１１に対する入出力装置としてのものであり、上述したＵｐキー６、Ｄｏｗｎキー７、シャッターボタン９、ＦＬモード設定キー１１、圧縮率設定スイッチ１２、撮影／再生モード設定スイッチ１４を含む。
【００４１】
全体制御部２１１は、マイクロコンピュータからなり、上述した撮像部３内及びカメラ本体部２内の各部材の駆動を有機的に制御してデジタルカメラ１の撮影動作を統括制御するものである。
【００４２】
全体制御部２１１は、撮影モードにおいて、シャッターボタン９により撮影が指示されると、撮影指示後に画像メモリ２０９に取り込まれた画像のサムネイル画像と圧縮率設定スイッチ１２で設定された圧縮率ＫによりＪＰＥＧ方式により圧縮された圧縮画像とを生成し、撮影画像に関するタグ情報（コマ番号、露出値、シャッタスピード、圧縮率Ｋ、撮影日、撮影時のフラッシュのオンオフのデータ、シーン情報、画像の判定結果等の情報）とともに両画像をメモリカード８に記憶する。
【００４３】
メモリカード８には、圧縮率１／２０で４０コマの画像が記憶可能であり、各コマはタグの部分とＪＰＥＧ形式で圧縮された高解像度の画像データ（６４０×４８０画素）とサムネイル表示用の画像データ（８０×６０画素）が記録されている。各コマ単位で、たとえばＥＸＩＦ形式の画像ファイルとして扱うことが可能である。
【００４４】
図５は、この発明の一実施形態に係るデジタルカメラシステム全体の構成図である。
【００４５】
図５において１は前記デジタルカメラ、１０００はデスクトップ型のパソコンである。このパソコン１０００には、キーボードＫやマウスＭがＵＳＢケーブルＬによって接続され、さらにプリンタＰriもＵＳＢケーブルＬによって接続されている。また、パソコン１０００はＣＲＴあるいは液晶等からなる表示装置１１００を有し、該表示装置の画面１００１に、種々の画像を表示する。なお、キーボードＫは、ＵＳＢインターフェースのハブを兼ねている。また、予めパソコン１０００内には、デジタルカメラのドライバソフト（以下ドライバという）がインストールされており、デジタルカメラ１とパソコン１０００との間での各種の制御処理が可能となっている。
【００４６】
図６は、図５に示したシステムにおけるパソコン１０００の表示装置１１００の画面遷移図を示す。なお、図６においては、パソコンをＰＣと記している。
【００４７】
デジタルカメラ１をパソコン１０００に接続しない状態では、パソコンの画面１００１は、図７に示した非接続表示画面Ｄ１０になっている。この画面Ｄ１０では、データやアプリケーションのアイコンIconやフォルダーのアイコンFolder、パソコン１０００自身を示すアイコンcCが表示されており、一例として、あるウィンドウ１００３が開いた状態で表示されている。ウィンドウ１００３には、ウィンドウを最小化する最小化ボタンMin 、ウィンドウを最大化する最大化ボタンMax 、ウィンドウを閉じるボタンClose が設けられている。それぞれ、マウスカーソルMouse をその位置に移動させ、マウス左ボタンをクリックすると、それぞれの動作が実行される。なお、パソコン１０００における表示装置１１００の画面１００１のサイズは８００×６００ピクセルになっている。
【００４８】
パソコン１０００が起動している状態で、デジタルカメラ１をキーボードのＵＳＢポートに接続すると、あらかじめパソコン１０００にインストールされているデジタルカメラ１のドライバが起動して、パソコンの画面は図７に示した非接続表示画面Ｄ１０から図８に示す通常表示画面Ｄ２０に遷移する。画面Ｄ２０では、パソコンの画面１００１にウィンドウのタイトルバー１００２とドライバの画面１００４が、それまで、開いていた他のウィンドウ１００３より手前側に表示される。
【００４９】
図８に示すように、前記ドライバの画面１００４はデジタルカメラ１の背面図そのものとなっている。これにより、パソコンの画面１００１上にデジタルカメラ１が存在するように感じられるので操作が容易になる。
【００５０】
例えば、略中央に記録画像を再生する際のコマ送り用のスイッチc6、c7が設けられている。スイッチc6は、記録画像をコマ番号が増大する方向（撮影順の方向）にコマ送りするためのスイッチ（以下、Ｕｐキーという。）であり、スイッチc7は、記録画像をコマ番号が減少する方向にコマ送りするためのスイッチ（以下、Ｄｏｗｎキーという。）である。また、背面側からみてＤｏｗｎキーc7の左側にメモリカード８に記録された画像を消去するための消去スイッチcDが設けられ、Ｕｐキーc6の右側にシャッタボタンc9が、またＤｏｗｎキーc7の左下にＦＬモード設定キーc11 が設けられている。ドライバの画面１００４に表示されているこれらのスイッチをマウスでクリックすると、あたかもデジタルカメラ１に物理的に設けられているプッシュスイッチ等を押下げ操作したときに同じように機能する。
【００５１】
また、c10 は表示部であり、デジタルカメラ１の表示部１０に表示されている内容と同一の内容を表示可能である。つまり、デジタルカメラのモードが再生モードであろうと撮影モードであろうと、同一の内容が表示される。これは、デジタルカメラ１がパソコン１０００に接続されているときには、デジタルカメラ１の表示部１０に表示されるデータが更新される都度、デジタルカメラ１のＶＲＡＭ２１０のデータをパソコン１０００に転送することにより、実現される。また、通常表示画面Ｄ２０においては、ドライバ画面１００４の表示部c10 のサイズは２４０×１８０ピクセルになっており、デジタルカメラ１の表示部１０のサイズと完全に一致する。なお、前述のとおり、ＶＲＡＭ２１０には、６４０×４８０ピクセルに対応したデータが記憶されているので、表示部ｃ１０に表示する際に３／８に間引いて表示するようにする。
【００５２】
なお、図８以下の画面において、実物のデジタルカメラや各部材に対応するアイコンを、実物に付した符号の前に「ｃ」を付して示す。
【００５３】
図８の通常表示画面Ｄ２０において、タイトルバー１００２の最小化ボタンMin を押すと、図９の最小化表示画面Ｄ３０に遷移する。この画面Ｄ３０では、デジタルカメラのドライバのウィンドウが最小化され、Ciで示すようなアイコン表示される。なお、デジタルカメラ１はパソコン１０００に接続されているので、パソコンの画面１００１上でもアイコンcCとデジタルカメラのアイコンciとの間にケーブルが表示されている。
【００５４】
図８に示した通常表示画面Ｄ２０においては、タイトルバー１００２の最小化ボタンMin を押した場合だけでなく、デジタルカメラ１の電源をオフにした場合も、図９のＤ３０の最小化表示画面に遷移する。デジタルカメラの電源のオフは、パソコン１０００の画面１００１上で、デジタルカメラｃ１のドライバの電源スイッチcPS をマウスでクリックするか、あるいは、実物のデジタルカメラ１の電源スイッチＰＳを操作することによって行われる。
【００５５】
なお、図９の最小化表示画面Ｄ３０において、アイコンCiをマウスでダブルクリックすると、図８の通常表示画面Ｄ２０に戻る。最小化画面Ｄ３０において、デジタルカメラ１の電源がオフの場合には、アイコンCiをダブルクリックしたときに電源オン信号をパソコン１０００からデジタルカメラ１に出すことによって、デジタルカメラ１の電源をオンにして、通常表示画面Ｄ２０に戻る。
【００５６】
一方、図８の通常表示画面Ｄ２０において最大化ボタンMax を押すと、図１０の最大化表示画面Ｄ４０に遷移する。この画面Ｄ４０では、ウィンドウ１００５が開き、ドライバの画像表示部c10 がデジタルカメラ１の画素数（６４０×４８０ピクセル）で表示される。これにより、デジタルカメラによる撮影画像を撮影されるサイズでリアルタイムにて確認できる。なお、この場合はＶＲＡＭ２１０に記憶されているデータを間引くことなく表示する。通常表示画面Ｄ２０で表示されていたデジタルカメラのスイッチ類は、最大化表示画面Ｄ４０においては互いの配置関係を保持したままタイトルバー１００２の下に表示される。ここでも、デジタルカメラ１の本体の操作スイッチと同様の操作を、パソコンの画面上で行うことが可能である。
【００５７】
また、図８の通常表示画面Ｄ２０、図９の最小化表示画面Ｄ３０、図１０の最大化表示画面Ｄ４０において、デジタルカメラ１をパソコン１０００から外し、両者の接続が断たれたときに初めて、図７に示したデジタルカメラ非接続表示画面Ｄ１０になる。このような構成とすることにより、デジタルカメラ１が接続されているか否かをパソコンの画面上で一目で判別できる。
【００５８】
さらに、図１０の最大化表示画面Ｄ４０において、モード切替スイッチc14 が再生モードに設定されている状態で、画面上のＦＬモード設定キーc11 が操作されると、図１１に示す撮影済み画像のサムネイルの表示画面Ｄ４１に遷移する。この画面ではウィンドウ１００６が開き、サムネイル画像が一コマ２００×１５０ピクセルで表示される。デジタルカメラ１におけるサムネイル表示はデータサイズと同じ８０×６０ピクセルであり、パソコン１０００の画面１００１にはサムネイル画像データを補間して拡大表示している。従って、各コマの画像を判別しやすくなる。なお、サムネイル表示画面Ｄ４１において、ＦＬモード設定キーc11 が押されると、再び最大化表示画面Ｄ４０に戻る。
【００５９】
また、図１０の最大化表示画面Ｄ４０においては、ドライバ画面右下にカラーバランス調整ボタンColor が表示されており、モード切替スイッチc14 が撮影モードに設定されている状態で、前記カラーバランス調整ボタンが押されると、パソコンの画面１００１は、図１２に示すように、カラーバランス調整用のモーダルダイアログ１００７が表示されたカラーバランス調整画面Ｄ４２に遷移する。そして、ＲＧＢそれぞれについて設けられている調整用のバー１００７１、１００７２、１００７３をマウスでドラッグすると、カラーバランス調整信号がパソコン１０００からデジタルカメラ１のＷＢ調整回路へ送られ、リアルタイムで、ホワイトバランスを含むカラーバランスを調整できるようになっている。カラーバランス調整画面Ｄ４２が開いた時には、各調整用のレバーLR、LG、LBは全て調整用バー１００７１、１００７２、１００７３の真ん中にあり、右へレバーを動かすとＲＧＢ各々の色合いがプラスされ（濃くなる）、左へ動かすとマイナスされる（薄くなる）。
【００６０】
従来では、デジタルカメラ１の表示部１０の縮小画面でしかカラーバランスの調整結果が確認できなかったため、カラーバランスの調整結果と実際の撮影結果とが一致しないことが多少あったが、この実施形態では、実際の撮影サイズでカラーバランスの調整結果が確認できるので、調整結果を正確に知ることが可能になる。
【００６１】
図１２のカラーバランス調整画面Ｄ４２において、カラーバランス調整ダイアログ１００７のＯＫボタンを押すと、調整結果を有効にして図１０の最大化表示画面Ｄ４０に戻り、キャンセルボタンを押すと調整結果を無効にして同じく最大化表示画面Ｄ４０に戻る。そして、当該調整結果を反映した状態で撮影が行われる。
【００６２】
なお、前記最大化表示画面Ｄ４０（図１０）においては、最大化ボタンMax の代わりに、元のサイズに戻すボタンＵが表示されており、このボタンＵを押すと図８の通常画面Ｄ２０に戻り、最小化ボタンMin を押すかデジタルカメラの電源をオフにすると図８の最小化画面Ｄ３０に遷移する。
【００６３】
また、各画面Ｄ２０、Ｄ３０、Ｄ４０、Ｄ４１においては、ウィンドウの閉じるボタンClose は無効になっており、このボタンをマウスでクリックしても何も起こらない。これにより、デジタルカメラ１を接続している以上、常にドライバが起動している状態になるので、パソコンの画面上でデジタルカメラの接続状態を知ることが可能になる。
【００６４】
また、図１０に示す最大化表示画面Ｄ４０で撮影モードになっているとき、シャッターボタン９を押す毎にあるいはパソコン画面のシャッターボタンc9をマウスでクリックする毎に撮影が実行される。そして、撮影の都度、図１３の画面Ｄ４３に示すように撮影画像を表示するウィンドウ１００８（タイトルバーにコマ番号が表示される）が開く。従って、パソコンの画面上で撮影画像を直ちに確認することができる。
【００６９】
【発明の効果】
請求項１に記載の発明によれば、コンピュータの表示手段に表示されているシャッタボタンの操作により撮影が行われた場合には、前記表示手段の画面上に、シャッタボタンが操作された時点で撮影された撮影画像を表示するウィンドウを開くから、撮影後に直ちに撮影画像を確認することができるようになり、操作性を向上することができる。
【００７０】
請求項２に記載の発明によれば、電源スイッチのオフ操作に連動して、デジタルカメラを示すウィンドウを自動的に最小化表示することができるから、電源スイッチのオフにより使用停止されたデジタルカメラの表示を極力少なくすることができ、コンピュータの表示装置の画面を有効に活用することが可能となる。
【００７１】
請求項３に記載の発明によれば、デジタルカメラとコンピュータとの接続が遮断された場合には、表示手段に表示されているデジタルカメラを示すウィンドウを消去するから、上記請求項７に記載の発明の効果に加えて、さらにデジタルカメラについての無駄な表示をなくすことができ、コンピュータの表示装置の画面の更なる有効活用が可能となる。
【図面の簡単な説明】
【図１】この発明の一実施形態に係るデジタルカメラシステムに用いられるデジタルカメラの正面図である。
【図２】同じくデジタルカメラの背面図である。
【図３】同じくデジタルカメラの底面図である。
【図４】図１〜３に示したデジタルカメラの制御系を示すブロック図である。
【図５】この発明の一実施形態に係るデジタルカメラシステム全体の構成図である。
【図６】図５に示したシステムにおける画面遷移図である。
【図７】図６の画面遷移図におけるＤ１０の非接続表示画面である。
【図８】同じくＤ２０の通常表示画面である。
【図９】同じくＤ３０の最小化表示画面である。
【図１０】同じくＤ４０の最大化表示画面である。
【図１１】同じくＤ４１のサムネイル表示画面である。
【図１２】同じくＤ４２のカラーバランス調整画面である。
【図１３】同じくＤ４３のシャッターを切った時の画面である。
【符号の説明】
１…デジタルカメラ
２…カメラ本体部
３…撮像部
８…メモリカード
９…シャッターボタン
１０…表示部
１１…ＦＬモード設定キー
１４…モード設定スイッチ
ＰＳ…電源スイッチ
２１１…全体制御部
１０００…コンピュータ
Ｍ…マウス
１１００…表示装置
１００１…画面
c1…デジタルカメラのアイコン
c9…シャッタボタンのアイコン
cPS …電源スイッチのアイコン
【図１】
0003711743.tif 000002
【図２】
0003711743.tif 000003
【図３】
0003711743.tif 000004
【図４】
0003711743.tif 000005
【図５】
0003711743.tif 000006
【図６】
0003711743.tif 000007
【図７】
0003711743.tif 000008
【図８】
0003711743.tif 000009
【図９】
0003711743.tif 000010
【図１０】
0003711743.tif 000011
【図１１】
0003711743.tif 000012
【図１２】
0003711743.tif 000013
【図１３】
0003711743.tif 000014